(57)【要約】【課題】  動くことのない中吊り広告は注目を集めにくいと言う問題点に鑑み、広告に目を向けずとも視覚の隅にでも入ればたちまち興味を惹くことが可能で、宣伝効果をより一層高めることが出来るような中吊り広告を提供する。【解決手段】  文面や図柄や写真などが記された、紙や合成樹脂等からなる実質的なシート状体に、モータ回転体や電磁石揺動体や電飾装置や音声発生装置などの電気駆動による機能部を設けて動的な中吊り広告とした。機能部としてモータ回転体や電磁石揺動体や電飾装置や音声発生装置を上げる。この機能部が動くので注目度が高まり、しかも何度でもこの広告に目が行くようになる。【選択図】図１
0003140044.tif 000002
【実用新案登録請求の範囲】
【請求項１】
文面や図柄や写真などが記された、紙や合成樹脂などからなる実質的なシート状体に、モータ回転体や電磁石揺動体や電飾装置や音声発生装置などの電気駆動による機能部が設けられていることを特徴とする、中吊り広告装置。
【請求項２】
前記機能部がモータ回転体であって、モータとこの回転軸に接続された透明中空容器と、この透明中空容器に納められた被撹拌物とから成り、当該透明中空容器が前記シート状体の表側で回転するように設けられている、請求項１に記載の中吊り広告装置。
【請求項３】
前記機能部が電磁石揺動体であって、前記シート状体の表側に揺動体が揺動自在に設けられており、当該揺動体の側に永久磁石が取り付けられており、これに対して前記シート状体の側にコイルが取り付けられていると共に、このコイルにコイルを駆動するための駆動回路が接続されている、請求項１に記載の中吊り広告装置。
【請求項４】
前記機能部が電飾装置であって、前記シート状体の表側にペーパー液晶が取り付けられていると共に、このペーパー液晶に表示するための表示回路がペーパー液晶に接続されている、請求項１に記載の中吊り広告装置。
【請求項５】
前記機能部が音声発生装置であって、前記シート状体に音声発生回路とこれに接続されたスピーカとが設けられている、請求項１に記載の中吊り広告装置。
【請求項６】
前記機能部が前記シート状体の表裏両面に設けられている、請求項１に記載の中吊り広告装置。
【請求項７】
前記機能部に対する電源供給部が光発電装置である、請求項１に記載の中吊り広告装置。
【考案の詳細な説明】
【技術分野】
【０００１】  この考案は電車等の中吊り広告に係り、更に詳しくはモータ回転体や電磁石揺動体や電飾装置や音声発生装置などの電気駆動による機能部が設けられており、この機能部によって人目を引くことが出来るような中吊り広告装置に関する。
【背景技術】
【０００２】  電車やバスの中で掲示する広告として、車内の主として通路方向から見えるような場所に吊す中吊り広告と言うものがある。この中吊り広告は通路を行く人、通路等に立っている人からは勿論のこと、座席に座っている人からも良く見ることが出来て、宣伝効果に一定の評価が得られるものとなっている。【０００３】  中吊り広告は一般的には紙に印刷されたものであり、表裏２枚重ねで紙挟みに止めるようにしている。更に注目を集めるべく紙以外の合成樹脂製シートを用いたものや、実登第３０２４５８０号のように基布に刺繍を施したものや、立体物を貼付したものや、台紙にレンチキュラーレンズやフォログラムを貼付したものや、特開２００３−４３９３０号のようにサンプル物質を取り付けたものなどが知られている。
【特許文献１】実登第３０２４５８０号公報
【特許文献２】特開２００３−４３９３０号公報
【考案の開示】
【考案が解決しようとする課題】
【０００４】  確かに上述したような中吊り広告によれば、ただ単に紙に印刷されたものよりは注目を引くものとなっている。このような広告に目を向ければたちまち惹き付けられるに違いない。しかしながらこのような広告も言わば静的なものであるため、広告に目を向けない限り気が付かれることは少ないものであると言うことが出来る。【０００５】  そこでこの考案は上述したような構造の中吊り広告の問題点に鑑み、これまでにない新規なものであって人々の注目を集め、広告に目を向けずとも視覚の隅にでも入ればたちまち興味を惹くことが可能で、宣伝効果をより一層高めることが出来るような、そうした中吊り広告の提供を課題とする。
【課題を解決するための手段】
【０００６】  上記課題の解決に先立ち当考案者は、中吊り広告がある程度動くものであれば注目度が高くなり、しかも何度でもこの広告に目が行くに違いないと言う知見を得た。広告に慣れてしまうと言うことを広告自体の動きによって行わせないのである。なお当考案者による特開２００１−３１８６３３号の発明でも動きのある看板を提供している。【０００７】  そこでこの考案は、文面や図柄や写真などが記された、紙や合成樹脂などからなる実質的なシート状体に、モータ回転体や電磁石揺動体や電飾装置や音声発生装置などの電気駆動による機能部が設けられていることを特徴とする、中吊り広告装置としたのである。【０００８】  シート状体はこのままでは単なる従来の中吊り広告であるが、これに電気駆動による機能部が設けられていることにより、動作する部分が良く人目を惹くことになる。すなわちこの考案の中吊り広告装置は言わば動的な広告装置なのである。動きと言うものは不思議なもので、目の端に掛かるだけでも注目したくなる性質を有している。そこでこの考案ではモータ回転体や電磁石揺動体や電飾装置や音声発生装置などの電気駆動による機能部を設けたのである。【０００９】  上記の内、モータ回転体や電磁石揺動体（例えば特許第２９３７２８７号）は物理的に「動く」部分を有しているが、ＬＥＤランプが点滅したり動画等の液晶表示を行う電飾装置もやはり「動き」を伴うものである。またこの考えを拡張すれば音声発生装置も耳に聞こえるものの時間的な変化があるものと言うことで、これもまた「動き」を現わすものであると言うことが出来る。【００１０】  さて、前記機能部がモータ回転体であって、モータとこの回転軸に接続された透明中空容器と、この透明中空容器に納められた被撹拌物とから成り、当該透明中空容器が前記シート状体の表側で回転するように設けられているものとすることが出来る。【００１１】  文面や図柄や写真などが記されたシート状体の表面で、上記の透明中空容器がモータ駆動によって回転すると、透明中空容器内の被撹拌物がせり上がる外周壁面によって回転方向へ押し上げられ崩れて行く様が観測される。これにより良く人目を惹いて、シート状体に記載された文面や図柄や写真などに対する注目度がアップすることになり、所望の宣伝効果が得られるのである。【００１２】  次に、前記機能部が電磁石揺動体であって、前記シート状体の表側に揺動体が揺動自在に設けられており、当該揺動体の側に永久磁石が取り付けられており、これに対して前記シート状体の側にコイルが取り付けられていると共に、このコイルにコイルを駆動するための駆動回路が接続されているものとすることが出来る。【００１３】  電磁石揺動体の一例として特許第２９３７２８７号を上げた。このものは非安定マルチバイブレータ回路の発振電流で駆動コイルを励磁し、この駆動コイルと相対して揺動可能に設けられると共に復元力を有する意匠体の永久磁石に電磁力を及ぼして意匠体を揺動させるものであり、ムービングディスプレイなどと称呼され、ドラッグストアなどで良く見られる宣伝媒体である。このような揺動体を本考案の機能部として用いることによって、その揺れる動きで人目を惹くのである。【００１４】  次に、前記機能部が電飾装置であって、前記シート状体の表側にペーパー液晶が取り付けられていると共に、このペーパー液晶に表示するための表示回路がペーパー液晶に接続されているものとすることが出来る。【００１５】  ぺーパー液晶は捲いたりし得るようなシート状の液晶ディスプレイデバイスであるが、表示回路を用いてここに動画を表示するのである。すなわちペーパー液晶そのものは動かないのであるが、そこに写される動画によって動きを現わそうと言うものである。これによっても人目を良く惹き付けることが可能である。【００１６】  次に、前記機能部が音声発生装置であって、前記シート状体に音声発生回路とこれに接続されたスピーカとが設けられているものとすることが出来る。これはモノラル式のものもステレオ式のものも任意選択が可能である。【００１７】  上述したように音声もまた動的であって人の注意を惹き付ける役割を果たすことが可能である。従って中吊り広告装置としては、音声発生回路とスピーカとを文面や図柄や写真などが記されたシート状体に設けることで実現することが出来る。スピーカから発生する音声で人の注目を惹き、続いてシート状体に記載されている文面や図柄や写真などに誘導することが可能である。なお効果的な音声として例えばカウントダウンの声や笑い声や拍手などが上げられる。【００１８】  次に、前記機能部が前記シート状体の表裏両面に設けられているものとしても良い。すなわち１枚のシート状体の表裏に文面や図柄や写真などの記載と機能部とを設けるのである。【００１９】  この構成により１枚のシート状体を吊り下げておけば、その両側の人の注目を惹くことが可能になる。なお文面や図柄や写真などの記載はシート状体の表裏で同一であっても異なっていても良い。また機能部に関しても同様である。【００２０】  次に、前記機能部に対する電源供給部が光発電装置であるものとしても良い。これはいわゆる太陽電池である。【００２１】  光発電装置を設けておけば、車内の蛍光燈の明かりや窓から入る太陽光によって電力を作り出すことが出来、これを前記機能部の動力源に供することが出来るのである。
【考案の効果】
【００２２】  この考案は、従来であれば文面や図柄や写真などが記載された１枚のシート状体でしかなかった中吊り広告に、電気駆動による機能部を設けて、中吊り広告に動きを持たせることに成功している。これにより俄然注目度が高まり、更に何度でもこの広告に目が行くようにすることが出来、宣伝効果をより一層高めることが可能になっており、産業上の利用価値の高いものとなっている。
【考案を実施するための最良の形態】
【００２３】  第１実施形態
図１乃至図３はこの実施形態の中吊り広告装置を表わす。このものは中吊り広告（吊りビラ）である台紙１の表側の中央部分に円形の透明ケース２が固定されており、この内部に設けた回転板２１を台紙１の裏側に固定したモータ機構３によって回転させると言うものである。このモータ機構３には、図示しないモータと電源電池と、モータをＯＮ／ＯＦＦさせるためのスイッチと、モータの回転を減速させるギヤ−ドボックスとが納められており、このギヤ−ドボックスの出力である回転軸２２は台紙１に開孔された軸孔から台紙１の表側に取り出されて、前記透明ケース２内の回転板２１に接続されている（図２を参照）。この回転板２１の外周部には周壁２０が形成されており、その内側に複数個のスポンジ製の円柱体２３が納められており、円柱体２３は透明ケース２を透して可視である。なおこの円柱体２３は数種類に色分けされている。さらに台紙１の透明ケース２の周りには文面１０が印刷されている。本実施形態の中吊り広告装置は、電車やバスの天上に取り付けられた紙挟み９にて台紙１の上辺が止められて、通路方向に望ませて吊り下げられるものである（図１）。なお前記紙挟み９は車両に付属しているものであってこの考案に必須なものではない。【００２４】  この文面１０は従来の中吊り広告の文面に相当するが、従来の中吊り広告ではこれまでである。これに対して本実施形態の中吊り広告装置は、モータ機構３の図示しないスイッチをＯＮ状態にすると回転軸２２が回転して透明ケース２内の回転板２１を回転させる。すると図１で表わした例では回転板２１が反時計方向に回転し、透明中空容器である透明ケース２内の被撹拌物である円柱体２３が、せり上がる周壁２０によって反時計方向へ押し上げられ、その後崩れて行き、この状態が繰り返されて円柱体２３が撹拌されるような運動を行なうことになる。これにより良く人目を惹いて、台紙１に記載された文面１０にも注目させることが出来、しかも透明ケース２内の円柱体２３の動きによって何度でも注目させることが可能であり、所望の宣伝効果が得られるのである。【００２５】  なおこの実施形態では被撹拌物に図３（ａ）の円柱体２３を用いているが、これに限定されず任意材質・形状のものが利用可能である。例えば星形や球体なども面白い。図３（ｂ）では透明な球体２４の中に半分程度まで発泡スチロール製の粒子２５を入れたものとした。これによれば球体２４自体が撹拌の対象であると共に粒子２５が球体２４内でまた撹拌の対象とされて興趣が尽きない。【００２６】  第２実施形態
図４及び図５はこの実施形態の中吊り広告装置を表わす。このものは中吊り広告（吊りビラ）である台紙１の表側の中央部分に電磁石揺動体（ムービングディスプレイ）が設けられている点に特徴を有する。台紙１の表側に揺動体としての振子人形４が回転軸４０で揺動自在に設けられており、この振子人形４の下端部に永久磁石４１が取り付けられており、またこの永久磁石４１に相対する台紙１の表側に電磁石５（ヨークにコイルが捲回されたものである）が取り付けられていると共に、この電磁石５に電磁石５を駆動するための駆動回路５０（図５）が接続されている。さらに台紙１の透明ケース２の周りには文面１０が印刷されている（図４）。【００２７】  上述した駆動回路５０は一例であるが、自走発振回路の負荷として電磁石５のコイルを接続したものであり、スイッチ５１をＯＮ状態にすると自走発振により起動され、以降は電磁石５と相対的に揺動する前記永久磁石４１の、電磁石５に対する発電作用を位置検出に用い、この位置検出に基づく通電を間欠的に行なって前記振子人形４に揺動運動を継続させると言うものである。揺れ動く振子人形４は良く人目を集め、飽きさせることなく何度でも台紙１に記載された文面１０に目を向けさせることが出来、所望の宣伝効果を得るものである。【００２８】  第３実施形態
この実施形態の中吊り広告装置を図６を用いて表わす。このものは中吊り広告（吊りビラ）である台紙１の表側の中央部分に、電気駆動による機能部としてのペーパー液晶６が設けられている点が特徴的である。このペーパー液晶６は台紙１の裏側に設けられた図示しない表示装置に接続されており、表示装置のメモリに記録されている動画を繰り返してペーパー液晶６に表示するように設計されている。なおペーパー液晶６の両側には表示装置及びペーパー液晶６に電力を供給するための太陽電池３０が設けられており、それ以外の部位に文面１０が印刷されている。【００２９】  前記ペーパー液晶６そのものは動かないのであるが、そこに写される動画によって動きを表わし、これにより人目を惹き付ける。当然のことながら文面１０の内容をより分かりやすいものにしたり、補足したり、言葉では表わし切れないものを表現するための動画などをペーパー液晶６に表示することが可能である。【００３０】  第４実施形態
図７はこの実施形態の中吊り広告装置を表わす。このものは中吊り広告（吊りビラ）であると共に振動板ともなる台紙１１に平面スピーカ７を取り付けて成るものである。なお音声発生回路７０の出力端子から平面スピーカ７に配線されているが、この音声発生回路７０は紙挟みに掛止させるものとして構成されている（図示せず）。【００３１】  この考案は人の注意を惹き付ける役割を果たすものとして動的な装置を用いている点に特徴を有するが、この実施形態では特に音声発生の手段を用いている。すなわち音声発生回路７０の平面スピーカ７から発生する音声で人の注目を惹いて、その視線を台紙１１に記載されている文面等に誘導しようと言うのである。上述したように音声もまた動的である。【００３２】  第５実施形態
図８はこの考案の第５実施形態の中吊り広告装置を表わす。このものは中吊り広告（吊りビラ）である厚手のビニールシート１２（台紙である）の中央部分に開孔して、ここにモータ機構８を填め込んで固定してあるが、このモータ機構８からは図の左右２方向に向けて回転軸２２，２２が出ている。そしてその各々の回転軸２２に第１実施形態で説明したに円形の透明ケース２、周壁２０を有する回転板２１、その内側の複数個の円柱体２３とから成る機能部の、回転板２１が接続されている。すなわちビニールシート１２の表裏両側に円柱体２３を撹拌する機能部が設けられていることになる。なおモータ機構８の回転軸２２，２２は何れもギヤ−ドボックスからの出力軸である。またビニールシート１２には表裏面共に透明ケース２の周りに文面１３が印刷されている。【００３３】  本実施形態の中吊り広告装置は、電車やバスの天上に取り付けられた紙挟みにてビニールシート１２の上辺が止められて、通路方向に望ませて吊り下げられるものであるが、ビニールシート１２の表裏面共に上述の機能部が設けられた構成であることによって、１枚のビニールシート１２を吊り下げておけば、その両側の人の注目を惹くことが出来るのである。【００３４】  この他の実施形態
上述した第１実施例では透明ケースの形状は方形なども可能であり、被撹拌物としての円柱体２３に文字を記しておくことなども可能である。電気駆動による機能部は１に限定されず複数個設けても良い。また透明ケース２を回転運動ではなく、モータ機構により揺動運動を行うものとして構成することが出来る。第２実施形態では駆動回路にどのようなものを用いるかは任意である。また振り子の形態も特に限定されない。次に第３実施形態では説明した動画以外にも、静止画のスライドショーのような見せ方も可能である。また音声を動画等の内容に合わせて発生させるようにしても良い。また広い意味で電飾と言うことであれば発光ダイオードによるティッカ装置等も構成可能である。第４実施形態では台紙１１は平面スピーカ７の振動板を兼ねているが、一般的なスピーカを使用することも可能である。なお電飾装置と組み合わせるようにしても良い。次に第５実施形態では表裏の同じ位置に透明ケース２回りを設けているが、表裏で異なる位置となるように配設することが出来る。また表裏で異なる機構のものを組み合わせることなども可能である。なお上述した各種実施形態では、電車やバスの天上に取り付けられた紙挟みにて上辺が止められて通路方向に望ませて吊り下げられるようになっているが、この他の取付形態を採用しても良いし、車内の壁面に取り付け得るように構成しても良い。また台紙に何を用いるかは任意であり、例えば合成樹脂製の段ボールや金属箔や布などを随意に使用して良い。文面や図柄や写真などに付いてはそれがどのように設けられようとも自由である。
【産業上の利用可能性】
【００３５】  なおこの考案は電車等の中吊り広告に限定されることなく、横断幕や幟広告など、広告の分野で広く適用することが出来る。また壁掛けや卓上のカレンダー等への利用が可能である。
【図面の簡単な説明】
【００３６】
【図１】  第１実施形態の正面図である。
【図２】  同実施形態の部分断面図である。
【図３】  同実施形態で用いる被撹拌物の斜視図である。
【図４】  第２実施形態の正面図である。
【図５】  同実施形態の駆動回路５０の回路図である。
【図６】  第３実施形態の正面図である。
【図７】  第４実施形態の模式図である。
【図８】  第５実施形態の部分断面図である。
【符号の説明】
【００３７】１    台紙
１０  文面
１１  台紙
１２  ビニールシート
１３  文面
２    透明ケース
２０  周壁
２１  回転板
２２  回転軸
２３  円柱体
２４  球体
２５  粒子
３    モータ機構
４    振子人形
４０  回転軸
４１  永久磁石
５    電磁石
５０  駆動回路
５１  スイッチ
６    ペーパー液晶
６０  太陽電池
７    平面スピーカ
７０  音声発生回路
８    モータ機構
９    紙挟み
【図１】
0003140044.tif 000003
【図２】
0003140044.tif 000004
【図３】
0003140044.tif 000005
【図４】
0003140044.tif 000006
【図５】
0003140044.tif 000007
【図６】
0003140044.tif 000008
【図７】
0003140044.tif 000009
【図８】
0003140044.tif 000010